(57)【要約】【課題】  孤立点を正確に検出することができる画像処理装置を提供する。【解決手段】  孤立点判別処理部は、入力された画像データから、１〜６ドットのサイズの孤立点を検出するためのダイナミックレンジを算出する、１〜６ドットダイナミックレンジ算出部４０１ａ〜４０１ｆと、算出された１〜６ドットのサイズ用のダイナミックレンジに基づいて、しきい値を算出する１〜６ドットしきい値算出部４０５ａ〜４０５ｆと、入力された画像データから、１〜６ドットのサイズの孤立点を検出するための画素値のピーク量を算出する１〜６ドットピーク量算出部４０３ａ〜４０３ｆと、１〜６ドットのそれぞれについて算出されたピーク量としきい値とから１〜６ドットのサイズの孤立点を判別する１〜６ドット孤立点判別部４０７ａ〜４０７ｆとを備えている。【選択図】        図３
2006237698.tif 000002
【特許請求の範囲】
【請求項１】
検出する孤立点のサイズに合わせたダイナミックレンジを算出するダイナミックレンジ算出部と、
前記算出部で算出されたダイナミックレンジに合わせてしきい値を算出するしきい値算出部と、
入力画像の画素値のピーク量を算出するピーク量算出部と、
前記算出されたしきい値と前記算出されたピーク量とを比較することで孤立点を判別する孤立点判別部とを備えた、画像処理装置。
【請求項２】
処理対象画素周辺の画素値のダイナミックレンジを算出するダイナミックレンジ算出部と、
複数サイズそれぞれの孤立点に対応させて、画素値のピーク量を算出する複数のピーク量算出部と、
前記ダイナミックレンジ算出部で算出されたダイナミックレンジに基づいて、前記複数のピーク量算出部のそれぞれに対応するしきい値を算出する複数のしきい値算出部と、
前記複数のピーク量算出部のそれぞれの出力と、前記複数のしきい値算出部のうちの対応する出力とを比較して、画像が孤立点か否かを判別する孤立点判別部とを有し、
前記ダイナミックレンジ算出部を、前記ピーク量算出部および前記しきい値算出部ごとに独立に設けることを特徴とする、画像処理装置。
【請求項３】
前記ダイナミックレンジ算出部が用いる画素の範囲を、検出対象とする孤立点サイズに応じて変更する事を特徴とする、請求項２に記載の画像処理装置。
【請求項４】
前記ダイナミックレンジ算出部が用いる画素の範囲は、検出対象とする孤立点サイズが小さいほど小さくする事を特徴とする、請求項３に記載の画像処理装置。
【請求項５】
検出する孤立点のサイズに合わせたダイナミックレンジを算出するダイナミックレンジ算出ステップと、
前記算出ステップで算出されたダイナミックレンジに合わせてしきい値を算出するしきい値算出ステップと、
入力画像の画素値のピーク量を算出するピーク量算出ステップと、
前記算出されたしきい値と前記算出されたピーク量とを比較することで孤立点を判別する孤立点判別ステップとを備えた、画像処理方法。
【請求項６】
ダイナミックレンジ算出部を用いて、処理対象画素周辺の画素値のダイナミックレンジを算出するダイナミックレンジ算出ステップと、
複数サイズそれぞれの孤立点に対応させて、複数のピーク量算出部を用いて、画素値のピーク量を算出するピーク量算出ステップと、
前記ダイナミックレンジ算出ステップで算出されたダイナミックレンジに基づいて、複数のしきい値算出部を用いて、前記複数のピーク量算出部のそれぞれに対応するしきい値を算出するしきい値算出ステップと、
前記複数のピーク量算出部のそれぞれの出力と、前記複数のしきい値算出部のうちの対応する出力とを比較して、画像が孤立点か否かを判別する孤立点判別ステップとを有し、
前記ダイナミックレンジ算出部を、前記ピーク量算出部および前記しきい値算出部ごとに独立に設けることを特徴とする、画像処理方法。
【請求項７】
検出する孤立点のサイズに合わせたダイナミックレンジを算出するダイナミックレンジ算出ステップと、
前記算出ステップで算出されたダイナミックレンジに合わせてしきい値を算出するしきい値算出ステップと、
入力画像の画素値のピーク量を算出するピーク量算出ステップと、
前記算出されたしきい値と前記算出されたピーク量とを比較することで孤立点を判別する孤立点判別ステップとをコンピュータに実行させる、画像処理プログラム。
【請求項８】
ダイナミックレンジ算出部を用いて、処理対象画素周辺の画素値のダイナミックレンジを算出するダイナミックレンジ算出ステップと、
複数サイズそれぞれの孤立点に対応させて、複数のピーク量算出部を用いて、画素値のピーク量を算出するピーク量算出ステップと、
前記ダイナミックレンジ算出ステップで算出されたダイナミックレンジに基づいて、複数のしきい値算出部を用いて、前記複数のピーク量算出部のそれぞれに対応するしきい値を算出するしきい値算出ステップと、
前記複数のピーク量算出部のそれぞれの出力と、前記複数のしきい値算出部のうちの対応する出力とを比較して、画像が孤立点か否かを判別する孤立点判別ステップとをコンピュータに実行させる画像処理プログラムであって、
前記ダイナミックレンジ算出部を、前記ピーク量算出部および前記しきい値算出部ごとに独立に設けることを特徴とする、画像処理プログラム。
【発明の詳細な説明】
【技術分野】
【０００１】
この発明は画像処理装置、画像処理方法、および画像処理プログラムに関し、特に網点領域などの孤立点を判別するための画像処理装置、画像処理方法、および画像処理プログラムに関する。
【背景技術】
【０００２】
従来よりＭＦＰ（Multi Function Peripheral）、コピー機、プリンタ、ファクシミリ装置などに代表される、記録媒体に画像を形成する画像形成装置が知られている。このような画像形成装置の分野において、再現される画像にモアレが生じることを防ぐために、スクリーン印刷などの網点で形成された網点領域を判別する技術が知られている。
【０００３】
網点領域を判別する方法として、画像中の孤立点を判定し、それが周期性条件を満たす場合に網点領域と判別する処理方法がある。
【０００４】
孤立点を判別する方法として、ピーク量算出フィルタを用い、ピーク量算出フィルタの範囲よりも広い範囲のダイナミックレンジを基に算出したしきい値と、ピーク算出フィルタの出力とを比較する方法がある。
【０００５】
以下の特許文献１は、網点ドットのサイズの大小にかかわらず、ピーク／ディップ画素の確実な検出を行ない、ひいては網点領域の判定を正確に行なうことを目的とし、ドットサイズの異なる孤立点を検出するために空間的形状が異なるフィルタを使用する技術を開示している。
【特許文献１】特開平８−１４９２９４号公報
【発明の開示】
【発明が解決しようとする課題】
【０００６】
しかしながら、従来のダイナミックレンジを用いてしきい値を算出する方法を採用すると、網点中に文字等が存在した場合にダイナミックレンジが変動し、文字周辺の孤立点が判別できないという問題があった。
【０００７】
図８は、網点内に文字があった場合に、その周囲の孤立点が検出されにくくなる状況を示す図である。
【０００８】
図に示されるように、網点内に“Ａ”の文字が存在する場合を想定する。このとき、孤立点を検出するため、画像中のピーク量算出として、処理対象画素周辺の画素濃度の変化量を算出する。また、しきい値算出として処理対象画素周辺の画素値のダイナミックレンジ幅を求め、その中央付近をしきい値として算出する。
【０００９】
Ａ−Ａ断面の画素の濃度変化を用いてダイナミックレンジを算出すると、算出範囲内に孤立点のみしかないため、ダイナミックレンジ幅の中央付近をしきい値とすることで孤立点を検出することができる。
【００１０】
一方、Ｂ−Ｂ断面で示されるように、ダイナミックレンジ算出範囲内に文字が存在する場合には、文字によってダイナミックレンジが拡大する。このため、ダイナミックレンジ幅の中央付近をしきい値としても、孤立点を検出できないのである。
【００１１】
本発明は上記問題点を解決するためになされたものであり、孤立点を正確に検出することができる画像処理装置、画像処理方法、および画像処理プログラムを提供することを目的としている。
【課題を解決するための手段】
【００１２】
上記目的を達成するためこの発明のある局面に従うと、画像処理装置は、検出する孤立点のサイズに合わせたダイナミックレンジを算出するダイナミックレンジ算出部と、算出部で算出されたダイナミックレンジに合わせてしきい値を算出するしきい値算出部と、入力画像の画素値のピーク量を算出するピーク量算出部と、算出されたしきい値と算出されたピーク量とを比較することで孤立点を判別する孤立点判別部とを備える。
【００１３】
この発明の他の局面に従うと画像処理装置は、処理対象画素周辺の画素値のダイナミックレンジを算出するダイナミックレンジ算出部と、複数サイズそれぞれの孤立点に対応させて、画素値のピーク量を算出する複数のピーク量算出部と、ダイナミックレンジ算出部で算出されたダイナミックレンジに基づいて、複数のピーク量算出部のそれぞれに対応するしきい値を算出する複数のしきい値算出部と、複数のピーク量算出部のそれぞれの出力と、複数のしきい値算出部のうちの対応する出力とを比較して、画像が孤立点か否かを判別する孤立点判別部とを有し、ダイナミックレンジ算出部を、ピーク量算出部およびしきい値算出部ごとに独立に設けることを特徴とする。
【００１４】
好ましくは画像処理装置は、ダイナミックレンジ算出部が用いる画素の範囲を、検出対象とする孤立点サイズに応じて変更する事を特徴とする。
【００１５】
好ましくはダイナミックレンジ算出部が用いる画素の範囲は、検出対象とする孤立点サイズが小さいほど小さくする事を特徴とする。
【００１６】
この発明のさらに他の局面に従うと画像処理方法は、検出する孤立点のサイズに合わせたダイナミックレンジを算出するダイナミックレンジ算出ステップと、算出ステップで算出されたダイナミックレンジに合わせてしきい値を算出するしきい値算出ステップと、入力画像の画素値のピーク量を算出するピーク量算出ステップと、算出されたしきい値と算出されたピーク量とを比較することで孤立点を判別する孤立点判別ステップとを備える。
【００１７】
この発明のさらに他の局面に従うと画像処理方法は、ダイナミックレンジ算出部を用いて、処理対象画素周辺の画素値のダイナミックレンジを算出するダイナミックレンジ算出ステップと、複数サイズそれぞれの孤立点に対応させて、複数のピーク量算出部を用いて、画素値のピーク量を算出するピーク量算出ステップと、ダイナミックレンジ算出ステップで算出されたダイナミックレンジに基づいて、複数のしきい値算出部を用いて、複数のピーク量算出部のそれぞれに対応するしきい値を算出するしきい値算出ステップと、複数のピーク量算出部のそれぞれの出力と、複数のしきい値算出部のうちの対応する出力とを比較して、画像が孤立点か否かを判別する孤立点判別ステップとを有し、ダイナミックレンジ算出部を、ピーク量算出部およびしきい値算出部ごとに独立に設けることを特徴とする。
【００１８】
この発明のさらに他の局面に従うと画像処理プログラムは、検出する孤立点のサイズに合わせたダイナミックレンジを算出するダイナミックレンジ算出ステップと、算出ステップで算出されたダイナミックレンジに合わせてしきい値を算出するしきい値算出ステップと、入力画像の画素値のピーク量を算出するピーク量算出ステップと、算出されたしきい値と算出されたピーク量とを比較することで孤立点を判別する孤立点判別ステップとをコンピュータに実行させる。
【００１９】
この発明のさらに他の局面に従うと画像処理プログラムは、ダイナミックレンジ算出部を用いて、処理対象画素周辺の画素値のダイナミックレンジを算出するダイナミックレンジ算出ステップと、複数サイズそれぞれの孤立点に対応させて、複数のピーク量算出部を用いて、画素値のピーク量を算出するピーク量算出ステップと、ダイナミックレンジ算出ステップで算出されたダイナミックレンジに基づいて、複数のしきい値算出部を用いて、複数のピーク量算出部のそれぞれに対応するしきい値を算出するしきい値算出ステップと、複数のピーク量算出部のそれぞれの出力と、複数のしきい値算出部のうちの対応する出力とを比較して、画像が孤立点か否かを判別する孤立点判別ステップとをコンピュータに実行させる画像処理プログラムであって、ダイナミックレンジ算出部を、ピーク量算出部およびしきい値算出部ごとに独立に設けることを特徴とする。
【発明の効果】
【００２０】
これらの発明に従うと、検出する孤立点のサイズに合わせたダイナミックレンジを算出するため、孤立点を正確に検出することができる画像処理装置、画像処理方法、および画像処理プログラムを提供することが可能である。
【発明を実施するための最良の形態】
【００２１】
以下、図面を参照しつつ本発明の実施の形態について説明する。以下の説明では、同一の部品には同一の符号を付してある。それらの名称および機能も同じである。したがってそれらについての詳細な説明は繰返さない。
【００２２】
図１は、本発明の実施の形態の１つにおける画像処理装置が適用されるタンデム方式のカラー複写機の概略構成を示す模式的断面図である。
【００２３】
図１を参照して、カラー複写機１００は、原稿から画像データを読取るイメージリーダ部１０１と、画像処理装置１０と、用紙上に画像を印刷するプリンタ部１０２とから構成されている。
【００２４】
イメージリーダ部１０１の原稿台１０３上に載置された原稿は、スキャナ１０４の備える露光ランプ１０５により照射される。スキャナ１０４は、スキャナモータ１１２により矢印方向に移動して原稿全体を走査する。原稿面からの反射光は、ミラー１０６〜１０８および集光レンズを介してＣＣＤ１１０上に像を結ぶ。ＣＣＤ１１０は、原稿面からの反射光をＲＧＢの色データ（アナログ信号）に変換して画像処理装置１０に出力する。ＣＣＤ１１０が画像処理装置１０に出力する色データを、画像データという。
【００２５】
画像処理装置１０は、ＣＣＤ１１０から入力される画像データに所定の画像処理を施し
てレーザ装置１１３にデジタル信号を出力する。
【００２６】
ここで画像処理装置１０からレーザ装置１１３に出力されるデジタル信号は、シアン用の画像色データＣと、マゼンタ用の画像色データＭと、イエロー用の画像色データＹと、ブラック用の画像色データＫである。レーザ装置１１３は、入力された画像色データＣ，Ｍ，Ｙ，Ｋに基づいて、シアン、マゼンタ、イエロー、ブラックそれぞれの感光体ドラム１１５Ｃ，１１５Ｍ，１１５Ｙ，１１５Ｋにレーザビームを出力する。
【００２７】
プリンタ部１０２において、レーザ装置１１３から出力されるレーザビームは、帯電チャージャ１１４Ｃ，１１４Ｍ，１１４Ｙ，１１４Ｋによって帯電された感光体ドラム１１５Ｃ，１１５Ｍ，１１５Ｙ，１１５Ｋを露光し、静電潜像を形成する。シアン、マゼンタ、イエロー、およびブラックの４色の現像器１１６Ｃ，１１６Ｍ，１１６Ｙ，１１６Ｋにより、感光体ドラム１１５Ｃ，１１５Ｍ，１１５Ｙ，１１５Ｋ上の静電潜像が現像される。
【００２８】
一方、無端ベルト１３０は、駆動ローラ１３３Ａと固定ローラ１３３Ｂ，１３３Ｃ，１３３Ｄとにより弛まないように懸架されている。駆動ローラ１３３Ａが図中で反時計回りに回転すると、無端ベルト１３０が所定速度で図中で反時計回りに回転する。
【００２９】
給紙カセット１２０〜１２２より適当な用紙が搬送され、タイミングローラ１３１から無端ベルト１３０に用紙が供給される。無端ベルト１３０に供給された用紙は、無端ベルト１３０上に担持され、図中で左方向に搬送される。これにより、用紙がシアン、マゼンタ、イエロー、ブラックの順に感光体ドラム１１５Ｃ，１１５Ｍ，１１５Ｙ，１１５Ｋと接触する。用紙がそれぞれの感光体ドラム１１５Ｃ，１１５Ｍ，１１５Ｙ，１１５Ｋと接触したときに、感光体ドラムと対をなす転写チャージャ１１７Ｃ，１１７Ｍ，１１７Ｙ，１１７Ｋにより感光体ドラム上に現像されたトナー像が用紙に転写される。
【００３０】
トナー像が転写された用紙は、定着ローラ対１３２により加熱される。これにより、トナーは溶かされて用紙に定着する。その後、用紙はプリンタ部１０２から排出される。
【００３１】
図２は、画像処理装置１０の機能を示す機能ブロック図である。
【００３２】
図を参照して、画像処理装置１０には、イメージリーダ部１０１から出力される画像データが入力される。画像処理装置１０は、画像データを、画像の属性に応じた領域に分割する領域判別部２００と、画像の属性に応じて画像データに所定の処理を実行する画像処理部３００とを含む。
【００３３】
画像の属性に応じた領域には、網点が表された網点領域、文字が表された文字領域を含む。領域判別部２００は、画像データ中から網点領域と文字領域とを抽出する。そして、抽出した領域情報を画像処理部３００に出力する。また、領域判別部２００は、網点領域と判別した場合には、網点領域中の孤立点のサイズを画像処理部３００に出力する。なお、領域判別は、網点領域および文字領域に限られず、たとえば、グラフや図形が表されたベタ画像を含む図形領域等を判別するようにしてもよい。
【００３４】
画像処理部３００は、画像データに対して、領域判別部２００により判別された領域に応じた画像処理を実行する。画像処理には、スムージング処理、エッジ強調処理が含まれる。より具体的には、網点領域の画像データには、スムージング処理を実行し、文字領域の画像データには、エッジ強調処理を実行する。また、網点領域中に文字が表されている場合には、文字のエッジ部分に対してエッジ強調処理を実行する。画像処理部３００は、領域判別部２００より入力される孤立点サイズに応じて、スムージング処理およびエッジ強調処理のレベルを変更する。スムージング処理は、レベルが高いほど隣接する画像値が平滑化される。このため、画像処理部３００は、孤立点のサイズが小さいほどスムージング処理のレベルを高くする。エッジ強調処理は、レベルが高いほどエッジの強調量が増える。画像処理部３００は、孤立点のサイズが大きいほど、エッジ強調処理のレベルを高くする。しかしながら、網点領域中にない文字領域に対して実行されるエッジ強調処理のレベルより小さいレベルとするのが好ましい。また、レベルには、スムージング処理またはエッジ強調処理を実行しないレベルを含む。画像によっては、スムージング処理またはエッジ強調処理をしないことが好ましい場合もあるからである。たとえば、エッジ強調処理を実行することにより、文字エッジのがたつきが目立つような場合もある。
【００３５】
このように、網点領域中の孤立点のサイズに応じて、画像データに実行するスムージング処理またはエッジ強調処理のレベルを変更するので、いかなる孤立点サイズの網点領域を含む画像データに対しても、適切な画像処理を実行することができ、網点領域の画質を向上させることが可能となる。
【００３６】
図３は、領域判別部のハード構成の一部を示すブロック図である。
【００３７】
図に示されるハード構成は、画素ごとに孤立点か否かを判定するための孤立点判別処理部を示している。孤立点判別処理部は、１〜６ドットのサイズの孤立点を検出可能な構成を有している。孤立点判別処理部は、入力された画像データから、１〜６ドットのサイズの孤立点を検出するためのダイナミックレンジをそれぞれ算出する、１〜６ドットダイナミックレンジ算出部４０１ａ〜４０１ｆと、算出された１〜６ドットのサイズ用のダイナミックレンジに基づいて、しきい値を算出する１〜６ドットしきい値算出部４０５ａ〜４０５ｆと、入力された画像データから、１〜６ドットのサイズの孤立点を検出するための画素値のピーク量を算出する１〜６ドットピーク量算出部４０３ａ〜４０３ｆと、１〜６ドットのそれぞれについて算出されたピーク量としきい値とから１〜６ドットのサイズの孤立点を判別する１〜６ドット孤立点判別部４０７ａ〜４０７ｆとを備えている。
【００３８】
本実施の形態における画像処理装置は、ピーク量算出フィルタがカバーする範囲よりも広い範囲の画素値に基づいてダイナミックレンジを求め、それを基にしきい値を算出する。しきい値と、ピーク量算出フィルタの出力とを比較し、孤立点を判別する。また、検出対象の孤立点のサイズごと（ピーク量算出フィルタごと）に、独立したダイナミックレンジ算出部が設けられる。このような構成を採用することで、ドットのサイズに応じた適切な孤立点の判別ができるという効果がある。
【００３９】
以下、図３の各構成要素について説明する。
【００４０】
（ア）  ダイナミックレンジ算出部４０１ａ〜４０１ｆ
ダイナミックレンジ算出部４０１ａ〜４０１ｆは、しきい値算出に使用するダイナミックレンジ量をドットサイズ別に算出する。
【００４１】
ダイナミックレンジ量は、処理対象範囲の画素の画素値の最大値と最小値との差分を求めることで算出することができる。その他、ヒストグラムを作成し、白側ピーク、黒側ピークを検出して、両ピーク間隔を用いて算出してもよい。
【００４２】
ダイナミックレンジの算出範囲は、ピーク量算出部４０３ａ〜４０３ｆで用いるフィルタのサイズよりも大きくとる。
【００４３】
図４および５は、それぞれ１ドットダイナミックレンジ算出部４０１ａ、および３ドットダイナミックレンジ算出部４０１ｃの用いる算出範囲を示す図である。
【００４４】
図を参照して、それぞれ中央の白で示されるエリアがピーク量算出部４０３ａ，４０３ｃで用いるフィルタのサイズを示している。白で示されるエリアと、ハッチングで示されるエリアがダイナミックレンジの算出範囲である。図に示されるように、判別する孤立点のサイズ（および判別に用いるピーク検出用フィルタのサイズ）が大きくなるごとに、ダイナミックレンジの算出範囲も大きくするようにしている。
【００４５】
図６は、網点パターンの周期を説明するための図である。
【００４６】
網点パターンの下地レベルと孤立点レベルを正確に把握するためには、一般的にパターン３周期以上を必要とする。すなわち、図に示されるように黒ドットが並ぶ網点パターンを想定した時、ピーク量算出フィルタのサイズの３つ分のサイズが、ダイナミックレンジ算出フィルタのサイズとなるようにすることが、孤立点の検出の観点から望ましい。
【００４７】
よって、ダイナミックレンジ算出に必要な周期が一定の場合には、ドットサイズが小さければ、ダイナミックレンジ算出に必要な最小範囲も小さくなる。本実施の形態においては、そのような観点からドットサイズに合わせてダイナミックレンジ算出の範囲も替えるようにしている。
【００４８】
（イ）  しきい値算出部４０５ａ〜４０５ｆ
しきい値算出部４０５ａ〜４０５ｆは、ダイナミックレンジ算出部のデータをもとにしきい値を算出する。一般的には、ダイナミックレンジの中央値をしきい値とすることが望ましい。
【００４９】
（ウ）  ピーク量算出部４０３ａ〜４０３ｆ
ピーク量算出部４０３ａ〜４０３ｆは、ピーク量算出フィルタを用いて、注目画素のピーク量を算出する。
【００５０】
図７は、ピーク量算出フィルタの具体例を示す図である。
【００５１】
図においては、（Ａ）〜（Ｄ）のそれぞれが、１ドット、２ドット、３ドット、４ドットのピーク量算出フィルタを示している。
【００５２】
太枠で囲まれるハッチングで示される画素の画素値の平均値（これは中央の画素ほど重み付けして平均値を求めてもよい）を求めることで、ピーク値が算出される。黒ピーク量を算出する場合と、白ピーク量を算出する場合では属性が反転する。
【００５３】
（エ）  孤立点判別部４０７ａ〜４０７ｆ
孤立点判別部４０７ａ〜４０７ｆは、しきい値算出部４０５ａ〜４０５ｆとピーク量算出部４０３ａ〜４０３ｆの出力を比較し、ピーク量の方が大きい場合に孤立点と判別する。
【００５４】
このようにして、本実施の形態によると、ダイナミックレンジ算出部が、ピーク量算出部およびしきい値算出部毎に独立に設けられる。これにより、検出対象の孤立点サイズに対して、最適な孤立点判別しきい値を算出することができ、孤立点判別処理において網点パターン上に文字や線などがある場合でも、その周辺の孤立点を正確に判別する事ができる。
【００５５】
［その他］
なお、上述の例においては画像形成装置内の画像処理装置に本発明を適用することとしたが、汎用のパーソナルコンピュータなどで実行されるソフトウェアとして本発明を実施することも可能である。この場合、ソフトウェアは大きくは、図３に対応させて、孤立点サイズに合わせたダイナミックレンジを算出する算出ステップと、ダイナミックレンジに合わせてしきい値を算出するしきい値算出ステップと、フィルタを用いて画素値のピーク量を算出する算出ステップと、算出されたしきい値とピーク量とを比較することで孤立点を判定する判定ステップとを順に実行することとなる。
【００５６】
また、そのような複数のステップを方法として実行することもできる。また、上述のソフトウェアプログラムをＣＤ−ＲＯＭ、フレキシブルディスク、ハードディスク、ＲＯＭ、ＲＡＭ、メモリカードなどの記録媒体に記録してユーザに提供するようにしてもよい。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５８】
【図１】本発明の実施の形態の１つにおける画像処理装置が適用されるタンデム方式のカラー複写機の概略構成を示す模式的断面図である。
【図２】画像処理装置の機能を示す機能ブロック図である。
【図３】領域判別部のハード構成の一部を示すブロック図である。
【図４】１ドットダイナミックレンジ算出部４０１ａの用いる算出範囲を示す図である。
【図５】３ドットダイナミックレンジ算出部４０１ｃの用いる算出範囲を示す図である。
【図６】網点パターンの周期を説明するための図である。
【図７】ピーク量算出フィルタの具体例を示す図である。
【図８】網点内に文字があった場合に、その周囲の孤立点が検出されにくくなる状況を示す図である。
【符号の説明】
【００５９】
１０  画像処理装置、１００  カラー複写機、２００  領域判別部、３００  画像処理部、４０１ａ〜４０１ｆ  ダイナミックレンジ算出部、４０３ａ〜４０３ｆ  ピーク量算出部、４０５ａ〜４０５ｆ  しきい値算出部、４０７ａ〜４０７ｆ  孤立点判別部。
【図１】
2006237698.tif 000003
【図２】
2006237698.tif 000004
【図３】
2006237698.tif 000005
【図４】
2006237698.tif 000006
【図５】
2006237698.tif 000007
【図６】
2006237698.tif 000008
【図７】
2006237698.tif 000009
【図８】
2006237698.tif 000010